【手続補正書】
【提出日】平成21年1月22日(2009.1.22)
【手続補正１】
【補正対象書類名】特許請求の範囲
【補正対象項目名】全文
【補正方法】変更
【補正の内容】
【特許請求の範囲】
【請求項１】
人間の手で使用するためのハンドルにおいて、  前記手の親指を受けるための側部と前記手の人差指を受けるための側部と、前記手の手掌表面の一部と係合する表面を有する橈骨区域と；  前記手の中指少なくとも一部と薬指の少なくとも一部を受けるための側部を有し、かつ手根管上に位置された前記手の表面に過度の圧力が掛かるのを回避する表面を有する中間区域と；  前記手の小指を受けるための側部を有し且つ前記小指の端部を位置決めするように前記手掌表面の一部と係合する表面を有する尺骨区域と；を具備することを特徴とするハンドル。
【請求項２】
前記橈骨区域、前記中間区域、および前記尺骨区域はさらに近接可動部材と末端可動部材を具備し、前記近接可動部材は手の親指を受入、前記末端可動部材は前記手の複数の長い指の少なくとも１つを受入れることを特徴とする請求項１記載のハンドル。
【請求項３】
前記橈骨区域の橈骨端部と前記尺骨区域の尺骨端部間の前記ハンドルの長さは前記手の中手指節（ＭＰ）関節を跨ぐ手掌の幅に基づいていることを特徴とする請求項１記載のハンドル。
【請求項４】
人間の手で使用する装置において、  前記手の親指を受け入れるための側部と、前記手の人差指を受け入れる側部を有し、且つ前記手の手掌表面の一部と係合する表面を有する橈骨区域と；  前記手の前記中指の少なくとも一部と薬指の少なくとも一部を受け入れる側部を有し、且つ手根管の全体にわたって配置された手の表面に過度の圧力が掛かるのを回避する表面を有する中間区域と；  前記手の小指を受け入れるための側部を有し且つ前記小指の端部を位置決めするように前記手の前記手掌表面の一部と係合する表面を有する尺骨区域と；  を具備することを特徴とする装置。
【請求項５】
前記橈骨区域の橈骨端部と前記尺骨区域の尺骨端部間の前記装置の長さが前記手の中手指節（ＭＰ）関節の幅に基づいていることを特徴とする請求項４記載の装置。
【請求項６】
手のサイズに相当するハンドルを設計するための方法において、  前記手の長い指の先端が実質的に整列するように前記手をＴ位置に設定する工程と；  前記手の手掌の橈骨側から尺骨側の手の長指の中手骨を跨ぐ距離を測定し、前記手の幅を規定する工程と；  手根管領域の過度な圧力が回避されるように、尺骨手掌ラインから橈骨手掌ラインへの距離に等しい又はそれ以下の前記尺骨手掌ラインから前記手根管領域の末端側への距離を設定する工程と；  を有することを特徴とする方法。
【請求項７】
人間の手で使用するための装置において、  第１の細長い本体を有し、且つ橈骨区域、中間区域、および第１の細長い本体の橈骨側と末端側を形成する尺骨区域とを有する橈骨部であり、  近接部の前記橈骨区域が前記手の手掌表面の一部と係合するための前記第１の細長い本体の前記近接部の橈骨表面を有し、  前記近接部の前記中間区域が前記近接部の前記橈骨区域に隣接し且つ手根管上に配置された前記手の表面に過度な圧力が掛かるのを回避する前記第１の細長い本体の前記近接側の中間表面を有し、  前記近接部の前記尺骨区域が前記近接部の前記中間区域に隣接し、前記手の前記手掌表面の一部と係合するための前記第１の細長い本体の前記近接側の尺骨表面を有し、  前記第１の細長い本体の前記近接側の前記近接部の接続表面が前記第１の細長い本体の前記近接側で前記近接部の前記中間区域の前記中間表面を前記近接部の前記尺骨区域の前記尺骨表面に接続し、  前記接続表面が前記近接部の前記中間区域の前記中間表面の一端の位置から前記近接部の前記尺骨区域の前記尺骨表面の一端の位置の距離間で近接的に伸びているところの橈骨部と；  第２の細長い本体を有し且つ前記手の少なくとも１つ又は複数の指の一部を受け入れるための末端部であり、且つ橈骨区域と、中間区域と、前記第２の細長い本体の近接側と末端側を形成する尺骨区域を有する末端部であり、且つ前記末端部の前記中間区域が前記末端部の前記橈骨区域に隣接し且つ末端部の前記尺骨区域が前記末端部の前記中間区域に隣接するところの末端部と；  前記近接部と前記末端部の少なくとも１つの動きを案内するための前記近接部と前記末端部の少なくとも１つと係合する少なくとも1つの案内部材と；  を具備し、前記接続表面が伸びる距離は少なくともある長さであり、前記末端部の前記尺骨区域の前記尺骨表面が前記第１の細長い本体の前記近接側の前記近接部の前記中間区域の前記中間表面を越えて伸び、前記ハンドルは前記手根管上に配置された前記手の表面に実質的な圧力が掛からないように前記手の中に位置決めされることを特徴とするハンドル。
【請求項８】
前記近接部は近接可動部材を具備し、前記末端部が末端可動部材を具備することを特徴とする請求項７記載のハンドル。
【請求項９】
前記近接部の前記橈骨区域の橈骨端部と前記近接部の前記尺骨区域の尺骨間の前記手の前記近接部の長さは、前記手の中手指節（ＭＰ）関節を跨ぐ前記手掌の幅に基づいて、７ｃｍから１０ｃｍの範囲内であることを特徴とする請求項７記載のハンドル。
【請求項１０】
前記接続表面が延びる距離は少なくともある長さであり、前記近接部の前記尺骨区域の前記尺骨表面が前記第１の細長い本体の前記近接側の前記近接部の前記橈骨区域の前記橈骨表面を越えて伸びていることを特徴とする請求項７記載のハンドル。
【請求項１１】
前記第１の細長い本体の前記近接側の前記近接部の前記尺骨区域の前記尺骨表面に対して、前記近接部の前記橈骨区域の前記橈骨表面は前記近接部の前記中間区域の前記中間表面が近接的に延びる距離に等しい又はそれ以上の距離にわたって近接的に延長していることを特徴とする請求項７記載のハンドル。
【請求項１２】
前記第１の細長い本体の前記近接側の前記近接部の前記尺骨区域の前記尺骨表面に対して、前記近接部の前記橈骨区域の前記橈骨表面は前記近接部の前記中間区域の前記中間表面が近接的に延びる距離と異なる距離にわたって近接的に延長していることを特徴とする請求項７記載のハンドル。
【請求項１３】
人間の手で使用するための装置において、  第１の細長い本体を有し、且つ橈骨区域、中間区域、および前記第１の細長い本体の近接側と末端側を形成する尺骨区域とを有する近接部であり、  前記近接部の前記橈骨区域が前記手の手掌表面の一部と係合するための前記第１の細長い本体の前記近接側の橈骨表面を有し、  前記近接部の前記中間区域が前記近接部の前記橈骨区域に隣接し且つ前記手根管上に配置された前記手の表面に過度な圧力が掛かるのを回避する前記第１の細長い本体の前記近接側の中間表面を有し、前記近接部の前記尺骨区域が前記近接部の前記中間区域に隣接し、  前記近接部の前記尺骨区域が前記近接部の前記中間区域に近接し且つ前記手の前記手掌表面の一部と係合するための前記第１の細長い本体の前記近接側の尺骨表面を有し、  前記第１の細長い本体の前記近接側の前記近接部の接続表面が前記第１の細長い本体の前記近接側で前記近接部の前記中間区域の前記中間表面を前記近接部の前記尺骨区域の前記尺骨表面に接続し、  前記接続表面が前記近接部の前記中間区域の前記中間表面の一端の位置から前記近接部の前記尺骨区域の前記尺骨表面の一端の位置の距離にわたって近接的に伸びているところの近接部と；  第２の細長い本体を有し且つ前記手の少なくとも１つ又は複数の指の一部を受け入れるための末端部であり、且つ橈骨区域と、中間区域と、前記第２の細長い本体の近接部と末端側を形成する尺骨区域を有する末端部であり、前記末端部の前記中間区域が前記末端部の前記橈骨区域に隣接し且つ末端部の前記尺骨区域が前記末端部の前記中間区域に隣接するところの末端部と；  前記近接部と前記末端部の少なくとも１つの動きを案内するための前記近接部と前記末端部の少なくとも１つと係合する少なくとも1つの案内部材と；  を具備し、前記接続表面が伸びる距離は少なくともある長さであり、前記近接部の前記尺骨区域の前記尺骨表面が前記第１の細長い本体の前記近接側の前記近接部の前記中間区域の前記中間表面を越えて伸び、前記装置は前記手根管上に配置された前記手の表面に実質的な圧力が掛からないように前記手の中に位置決めされることを特徴とする装置。
【請求項１４】
前記近接部が近接可動部材を具備し、且つ前記末端部が末端可動部材を具備することを特徴とする請求項１３記載の装置。
【請求項１５】
前記近接部の前記橈骨区域の橈骨端部と前記近接部の前記尺骨区域の尺骨端部間の前記装置の長さは、前記手の中手指節（ＭＰ）関節を跨ぐ前記手掌の幅に基づいて、７ｃｍから１０ｃｍの範囲内にあることを特徴とする請求項１３記載の装置。
【請求項１６】
前記接続表面が延びる距離が少なくともある長さであり、前記近接部の前記尺骨区域の前記尺骨表面が前記第１の細長い本体の前記近接側で前記近接部の前記橈骨区域の前記橈骨表面を越えて伸びていることを特徴とする請求項１３記載の装置。
【請求項１７】
前記第１の細長い本体の前記近接側で前記近接部の前記尺骨区域の前記尺骨表面に対して、前記近接部の前記橈骨区域の前記橈骨表面は前記近接部の前記中間区域の前記中間表面が近接的に延びる距離に等しい又はそれ以上である距離にわたって近接的に伸びていることを特徴とする請求項１３記載の装置。
【請求項１８】
前記第１の細長い本体の前記近接側で前記近接部の前記尺骨区域の前記尺骨表面に対して、前記近接部の前記橈骨区域の前記橈骨表面は前記近接部の前記中間区域の前記中間表面が近接的に延びる距離と異なる距離にわたって近接的に伸びていることを特徴とする請求項１３記載の装置。